(57)【要約】【課題】スタンドを高くすることなく、押し絵の間延び感を解消しつつ押し絵の数も多くすることができる押し絵吊し雛を提供する。【解決手段】雛飾りの装飾として用いられる押し絵吊し雛１として、スタンド２の上端に設けられた吊し具２３に対し鉛直軸回りに回転自在に支持され、内部に収容された駆動機構により回転する回転体３と、この回転体３に回転一体に取り付けられた円環形状のさげ輪４と、を備える。そして、さげ輪４の周方向に等間隔で紐１３を吊下するとともに、さげ輪４を、回転体３に設けた取付部３５の外周面に嵌合する嵌合部材４０に支持紐４１を介して保持して回転体３の上下寸法範囲内に収容している。【選択図】図１
2014090912.tif 000002
【特許請求の範囲】
【請求項１】
三月節句を祝う雛飾りの装飾として用いられ、スタンドに複数の押し絵を紐で吊して飾る押し絵吊し雛であって、
前記スタンドの上端に設けられた吊し具に対し鉛直軸回りに回転自在に支持され、内部に収容された駆動機構により回転する回転体と、
この回転体に回転一体に取り付けられた環状のさげ輪と、
を備えており、
前記紐は、前記さげ輪の周方向に等間隔で吊下されているとともに、
前記さげ輪は、前記回転体に設けられた取付部に保持されて当該回転体の上下寸法範囲内に収容されていることを特徴とする押し絵吊し雛。
【請求項２】
前記回転体が、前記さげ輪の内周面に収容可能な略筒形状に形成されているとともに、
前記取付部が、前記回転体の下端より外方へ膨出して前記さげ輪の下面を保持する鍔状に形成され、
前記さげ輪と前記回転体との互いの上下寸法が略一致している請求項１に記載の押し絵吊し雛。
【請求項３】
前記回転体には、駆動機構による回転時に音色を奏でるオルゴールが収容されている請求項１又は請求項２に記載の押し絵吊し雛。
【請求項４】
前記回転体には、リモコンスイッチからのＯＮ／ＯＦＦ信号を受信して前記駆動機構を駆動させる信号受信部が設けられている請求項１〜請求項３のいずれか１つに記載の押し絵吊し雛。
【発明の詳細な説明】
【技術分野】
【０００１】
本発明は、三月節句を祝う雛飾りの装飾として押し絵を吊して飾る押し絵吊し雛に関する。
【背景技術】
【０００２】
従来より、雛飾りには、一段の平飾りから七段の十五人飾りまで多くの種類があり、飾る場所や好みによって自由に選択することができるようになっている。特に、雛人形の内でも雛飾りの主体である親王が中心となって三人官女や五人囃子などと共に飾っている。
【０００３】
また、雛壇の内の一段を広くして蹴鞠を行う施設を設置し、蹴鞠を再現して飾るようにしたものもある（特許文献１参照）。
【０００４】
ところで、雛飾りの装飾として、スタンドに複数の押し絵を紐で吊して飾る押し絵吊し雛がある。この押し絵吊し雛は、雛壇の側方などにおいて雛飾りとは別途に配置されている。具体的には、スタンドの上端に設けられた吊し具に対し鉛直軸回りに回転自在に支持され、かつ内部に収容された駆動機構により回転する回転体と、この回転体の下端に回転一体に取り付けられた環状のさげ輪とを備えている。そして、さげ輪には、その周方向に等間隔で紐が吊下され、それぞれの紐に取り付けた押し絵を回転体の回転に伴い回転させて、押し絵吊し雛を雛飾りの装飾として優雅に演出するようにしている。
【先行技術文献】
【特許文献】
【０００５】
【特許文献１】実登３０６５１６４号公報
【発明の概要】
【発明が解決しようとする課題】
【０００６】
ところが、前記押し絵吊し雛では、駆動機構を内部に収容した回転体の下端にさげ輪が取り付けられている。このため、さげ輪がスタンド上端の吊し具から回転体の上下高さ分だけ下方に位置し、このさげ輪に吊下される紐に取り付けた押し絵は、スタンド上端から間延びした下方位置で回転することになる。しかも、紐自体の長さも短くなって、取り付けられる押し絵の数も自ずと制限されてしまう。
【０００７】
その場合、スタンドの高さを高くすれば、下方に位置する押し絵の間延び感も緩和される上、押し絵の数も多くできる。しかし、押し絵吊し雛はあくまでも雛飾りの装飾にすぎないものであるため、スタンドを高くすれば主役の雛飾りの存在を脅かしてしまうおそれもあり、安易にスタンドを高くできない。
【０００８】
本発明は、かかる点に鑑みてなされたものであり、その目的とするところは、スタンドを高くすることなく、押し絵の間延び感を解消しつつ押し絵の数も多くすることができる押し絵吊し雛を提供することにある。
【課題を解決するための手段】
【０００９】
上記目的を達成するため、本発明では、三月節句を祝う雛飾りの装飾として用いられ、スタンドに複数の押し絵を紐で吊して飾る押し絵吊し雛を前提とする。更に、前記スタンドの上端に設けられた吊し具に対し鉛直軸回りに回転自在に支持され、内部に収容された駆動機構により回転する回転体と、この回転体に回転一体に取り付けられた環状のさげ輪と、を備える。そして、前記紐を、前記さげ輪の周方向に等間隔で吊下するとともに、前記さげ輪を、前記回転体に設けられた取付部に保持されて当該回転体の上下寸法範囲内に収容することを特徴としている。
【００１０】
また、前記回転体を、前記さげ輪の内周面に収容可能な略筒形状に形成するとともに、前記取付部を、前記回転体の下端より外方へ膨出して前記さげ輪の下面を保持する鍔状に形成し、前記さげ輪と前記回転体との互いの上下寸法を略一致させていてもよい。
【００１１】
また、前記回転体に、駆動機構による回転時に音色を奏でるオルゴールを収容していてもよい。
【００１２】
更に、前記回転体に、リモコンスイッチからのＯＮ／ＯＦＦ信号を受信して前記駆動機構を駆動させる信号受信部を設けていてもよい。
【発明の効果】
【００１３】
以上、要するに、環状のさげ輪を回転体の取付部に保持して当該回転体の上下寸法範囲内に収容することで、さげ輪がスタンド上端の吊し具に吊した回転体の上下寸法範囲内に位置することになる。このため、さげ輪に吊下される紐に取り付けた押し絵が、スタンド上端から間延びした下方位置で回転することがなく、回転体の上下寸法範囲内から下方で回転して、押し絵の間延び感を解消することができる。しかも、さげ輪がスタンド上端の吊し具に吊した回転体の上下寸法範囲内に位置することで、紐自体の長さも長くなり、取り付けられる押し絵の数も多くすることができる。更に、スタンドの高さを高くする必要がないので、主役の雛飾りの存在を脅かすこともなく、押し絵吊し雛を雛飾りの装飾として優雅に演出することができる。
【００１４】
また、取付部を、さげ輪の内周面に収容した回転体の下端より外方へ膨出させてさげ輪の下面を保持する鍔状に形成し、さげ輪と回転体との互いの上下寸法を略一致させることで、回転体がさげ輪の上下寸法範囲内にすっきりと収まり、見栄えを向上させつつ、回転体による押し絵の間延び感や押し絵の数量限定といった不具合を確実に解消することができる。
【００１５】
また、駆動機構による回転時に音色を奏でるオルゴールを回転体に収容することで、回転体の回転時にオルゴールが奏でる音色によって押し絵吊し雛を雛飾りの装飾としてより優雅に演出することができる。
【００１６】
更に、リモコンスイッチからのＯＮ／ＯＦＦ信号を受信して駆動機構を駆動させる信号受信部を回転体に設けることで、回転体をリモコンスイッチによる遠隔操作により回転／停止させることができる。
【図面の簡単な説明】
【００１７】
【図１】本発明の第１の実施の形態に係る押し絵吊し雛の斜視図である。
【図２】図１の押し絵吊し雛の回転体の蓋体を外した状態で側方から見た本体の側面図である。
【図３】図２の回転体の取付部付近での斜視図である。
【図４】図１の押し絵吊し雛をスタンドから外して上方から見た平面図である。
【図５】図１の押し絵吊し雛のさげ輪の嵌合部材の斜視図である。
【図６】図５の嵌合部材の縦断面図である。
【図７】図４の押し絵吊し雛を側方から見た側面図である。
【図８】第１の実施の形態の変形例に係るさげ輪の平面図である。
【図９】図８のさげ輪の側面図である。
【図１０】第１の実施の形態のその他の変形例に係るさげ輪の平面図である。
【図１１】図１０のさげ輪の側面図である。
【図１２】本実施の形態のその他の変形例に係るさげ輪の平面図である。
【図１３】図１２のさげ輪の側面図である。
【図１４】本発明の第２の実施の形態に係る押し絵吊し雛の斜視図である。
【図１５】図１４の押し絵吊し雛の回転体の縦断側面図である。
【図１６】図１５の押し絵吊し雛をスタンドから外して上方から見た平面図である。
【図１７】図１６の押し絵吊し雛を側方から見た側面図である。
【図１８】本実施の形態のその他の変形例に係るさげ輪の平面図である。
【図１９】図１８のさげ輪の縦断側面図である。
【発明を実施するための形態】
【００１８】
以下、添付図面を参照しながら、本発明の実施の形態について説明し、本発明の理解に供する。尚、以下の実施の形態は、本発明を具体化した一例であって、本発明の技術的範囲を限定する性格のものではない。
図１は本発明の第１の実施の形態に係る押し絵吊し雛の斜視図を示し、この図１を用いて、本発明の第１の実施の形態に係る押し絵吊し雛１について説明する。
【００１９】
図１に示すように、押し絵吊し雛１は、三月節句を祝う雛飾りの装飾として用いられ、スタンド２に複数種類の押し絵１１やまり玉１２を紐１３で吊して飾られるものである。押し絵１１は、厚紙で型を切り抜いて中に綿を含ませた羽二重やその他のきれでくるみ、面相や彩色をほどこして作成される。まり玉１２は、紐１３が挿通可能な挿通孔を中心に有する樹脂製の玉を羽二重やその他のきれでくるんで作成される。紐１３には、押し絵１１とまり玉１２とが等間隔で交互に組み合わせて５個取り付けられている。
【００２０】
スタンド２は、略矩形状の載置台２１と、この載置台２１上より上方へ立設され、上端部より円弧を描いて略水平方向へ延びる支柱２２とを備えている。この支柱２２の先端には吊し具２３が取り付けられ、この吊し具２３に押し絵吊し雛１が吊されている。
【００２１】
押し絵吊し雛１は、吊し具２３に対し鉛直軸回りに回転自在に支持され、後述するケーシング３０の内部に収容された駆動機構３１により回転する回転体３と、この回転体３に回転一体に取り付けられた環状のさげ輪４とを備えている。さげ輪４には、その周方向等間隔置きの７箇所に開口する挿通孔４４が設けられている。この各挿通孔４４には、押し絵１１とまり玉１２とを交互に取り付けた紐１３が外方から挿通されて内周面側で止着されている。また、回転体３の下端には留め具３９が設けられ、この留め具３９に、まり玉１２のみを等間隔に７つ取り付けた紐１３が止着されている。なお、本実施の形態では、押し絵１１とまり玉１２とを組み合わせて紐１３に５個取り付けたが、その個数はこれに限定されるものではなく、郷土や風土に則して個数が任意に決められる。また、留め具３９に止着した紐１３に取り付けられるまり玉１２の個数についても、これに限定されることなく、郷土や風土に則して個数が任意に決められる。
【００２２】
図２は押し絵吊し雛１の回転体３の蓋体を外した状態で側方から見た本体の側面図を示している。この図２において、回転体３は、駆動機構３１を略円形の薄箱状のケーシング３０内に収容している。ケーシング３０は、その軸線方向で本体３０１と蓋体３０２とに分割されている。本体３０１及び蓋体３０２は、共に有底円筒形状に形成され、互いの開口面同士を合わせた状態で、図示しない複数のビスによって止着されている。この場合、回転体３のケーシング３０は、側面視で略真円形状に形成されている。
【００２３】
駆動機構３１は、電気モータ３１１と、この電気モータ３１１に電力を供給する単４の乾電池（図示せず）と、電気モータ３１１の出力軸３１３に駆動連結され、この出力軸３１３からの回転力を減速する減速機構３１４とを備えている。乾電池は、電池収容部３１２に収容され、本体３０１の裏面に設けられた交換蓋（図示せず）を開放させて交換される。
【００２４】
また、ケーシング３０内には、音色を奏でるオルゴール３２が収容されている。このオルゴール３２は、シリンダ・オルゴールであって、複数のピンを取り付けた金属製の円筒体３２１と、ケーシング３０に固定され、円筒体３２１上のピンにより押し上げられて弾かれる長さの異なる金属板を有する櫛体３２２とを備えている。円筒体３２１の一端（図２では下端）には大径ギヤ３２３が固着され、この大径ギヤ３２３が、減速機構３１４の出力軸３１５に回転一体に連結された小径ギヤ３１６と噛合することで円筒体３２１を軸芯３２４回りに回転させ、これによって、円筒体３２１上のピンが櫛体３２２の各金属板を押し上げて弾いて音色を奏でる。
【００２５】
更に、ケーシング３０内には、図示しないリモコンスイッチからのＯＮ／ＯＦＦ信号を受信して駆動機構３１を駆動／停止する信号受信部３４が収容されている。この信号受信部３４は、ケーシング３０の本体３０１に設けたメインスイッチ３６がＯＮ状態であるときにリモコンスイッチからのＯＮ／ＯＦＦ信号を受信する。そして、オルゴール３２の軸芯３２４は、円筒体３２１の他端（図２では上端）より上方へ延び、ケーシング３０外に導出されている。
【００２６】
図３は回転体３の取付部付近での斜視図を示している。この図３において、回転体３は、ケーシング３０の上端部より略円柱形状に突設された取付部３５を備えている。この取付部３５には、その軸芯方向に貫通する貫通孔３５１が設けられ、この貫通孔３５１に、ケーシング３０外に導出された軸芯３２４の導出部分が挿通されている。また、取付部３５の上側には、上端に吊下具３７１を備えたアタッチメント３７が接地している。このアタッチメント３７は、取付部３５とほぼ同じ外周形状を呈し、その下端にオルゴール３２の軸芯３２４の導出端が止着されている。
【００２７】
図４は押し絵吊し雛１をスタンド２から外して上方から見た平面図、図５は押し絵吊し雛１のさげ輪４の嵌合部材の斜視図をそれぞれ示している。図４及び図５において、取付部３５の外周面には、その周方向に互いに１８０°隔てた位置より半径方向外方へ突出するキー３５２がそれぞれ設けられている。また、さげ輪４は、ＡＢＳ樹脂などの樹脂材により成形され、取付部３５の外周面に内周面部が嵌合する円環状の嵌合部材４０を備えている。なお、さげ輪４は、樹脂材に限らず、木材などによって成形された木製品であってもよい。
【００２８】
図６は嵌合部材の縦断面図を示している。この図６にも示すように、嵌合部材４０の内周面部には、キー３５２がそれぞれ嵌合するキー溝４０１がそれぞれ設けられている。そして、キー３５２とキー溝４０１との嵌合によって、嵌合部材４０は、回転体３と一体回転する。また、嵌合部材４０の内周面部は外周面部よりも若干下方に延出され、その延出端が、回転体３のケーシング３０上端の周面に則した円弧状に形成されている。
【００２９】
また、嵌合部材４０には、その軸線と同心円の周方向等間隔置きの４箇所で上下方向に貫通する微小孔４０２が設けられ、この微小孔４０２に支持紐４１が挿通されている。この支持紐４１は、互いに相隣なる２つの微小孔４０２に中間部が嵌合部材４０の下側から挿通され、両端がさげ輪４の周方向等間隔置きの４箇所に半径方向外方から挿通されて止着される。要するに、さげ輪４は、嵌合部材４０に支持紐４１を介して保持されている。
【００３０】
図７は押し絵吊し雛１を側方から見た側面図を示している。この図７において、各支持紐４１によって嵌合部材４０に保持されたさげ輪４は、回転体３の上下寸法範囲内に収容、つまり回転体３の上部外方位置に位置し、この状態で回転体３と一体回転する。
【００３１】
したがって、本実施の形態では、さげ輪４が、スタンド２上端の吊し具２３に吊した回転体３の取付部３５に嵌合部材４０が嵌合されて当該回転体３の上部外方位置に位置しているので、さげ輪４に吊下される紐１３に取り付けた押し絵１１やまり玉１２が、スタンド２上端から間延びした下方位置で回転することがなく、回転体３の上下寸法範囲内から下方で回転して、押し絵１１及びまり玉１２の間延び感を解消することができる。しかも、さげ輪４がスタンド２上端の吊し具２３に吊した回転体３の上部外方位置に位置することで、紐１３自体の長さも長くなり、取り付けられる押し絵１１及びまり玉１２の数も多くすることができる。更に、スタンド２の高さを高くする必要がないので、主役の雛飾りの存在を脅かすこともなく、押し絵吊し雛１を雛飾りの装飾として優雅に演出することができる。
【００３２】
また、駆動機構３１による回転時に音色を奏でるオルゴール３２を回転体３に収容することで、回転体３の回転時にオルゴール３２が奏でる音色によって押し絵吊し雛１を雛飾りの装飾としてより優雅に演出することができる。
【００３３】
更に、リモコンスイッチからのＯＮ／ＯＦＦ信号を受信して駆動機構３１を駆動させる信号受信部３４が回転体３に設けられているので、回転体３をリモコンスイッチによる遠隔操作により回転／停止させることができる。
【００３４】
なお、前記第１の実施の形態では、嵌合部材４０に支持紐４１を介してさげ輪４を保持したが、図８及び図９に示すように、嵌合部材４０に可撓性のある竹材や鋼材などの線材５１を介してさげ輪４が保持されていてもよい。この線材５１は、１６本用いられ、嵌合部材４０の周面の周方向等間隔置きに一端がそれぞれ固着され、他端がさげ輪４の上面の周方向等間隔置きにそれぞれ固着されている。
また、図１０及び図１１に示すように、嵌合部材４０に可撓性のある線材５２を介してさげ輪４が保持されていてもよい。この線材５２は、８本用いられ、嵌合部材４０の周面の周方向等間隔置きに一端がそれぞれ固着され、他端がさげ輪４の上面の周方向等間隔置きにそれぞれ固着されている。
更に、図１２及び図１３に示すように、嵌合部材４０に同一素材により一体成形された樹脂製（ＡＢＳ樹脂など）のアーム５４を介してさげ輪４が保持されていてもよい。このアーム５４は、８本用いられ、嵌合部材４０の周面の周方向等間隔置きに一端がそれぞれ連結され、他端がさげ輪４の上面の周方向等間隔置きにそれぞれ連結されている。
【００３５】
次に、本発明の第２の実施の形態を図面に基づいて説明する。
【００３６】
図１４は本発明の第２の実施の形態に係る押し絵吊し雛の斜視図、図１５は押し絵吊し雛の回転体の縦断側面図、図１６は押し絵吊し雛をスタンドから外して上方から見た平面図、図１７は押し絵吊し雛を側方から見た側面図をそれぞれ示している。なお、回転体を除くその他の構成は前記第１の実施形態の場合と同じであり、同一部分には同じ符号を付してその詳細な説明は省略する。
【００３７】
すなわち、本実施の形態では、図１４〜図１７に示すように、回転体６は、さげ輪４の内周面に沿って外周面が収容可能な略円形の薄箱状のケーシング６０を備えている。このケーシング６０は、有底筒状の本体６０１と、さげ輪４の下面を保持する円板状の取付部６１とを備えている。本体６０１と取付部６１とは、本体６０１の下方に開口する開口部を取付部６１によって閉塞した状態で、図示しない複数のビスによって止着されている。この場合、取付部６１は、本体６０１の下面に取り付けられた状態で、本体６０１の下端より外方へ膨出して鍔状をなすように本体６０１の径よりも大径に形成されている。
【００３８】
ケーシング６０内に収容される電気モータ３１１は、その軸芯３２４を上方へ延ばして配置され、ケーシング６０の本体６０１の上面に接地されたアタッチメント３７の下端に導出端が止着されている。また、電池収容部３１２に収容された乾電池は、取付部６１に設けられた交換蓋（図示せず）を開放させて交換される。
【００３９】
そして、ケーシング６０の本体６０１は、さげ輪４の上下寸法と略一致しており、さげ輪４の内周面に回転体６を収容して取付部６１にさげ輪４の下面を保持した際に、さげ輪４の上端面と略面一上となっている。
【００４０】
したがって、本実施の形態では、取付部６１が、さげ輪４の内周面に収容した回転体６の下端より外方へ膨出してさげ輪４の下面を保持する鍔状に形成されているので、回転体６がさげ輪４の上下寸法範囲内にすっきりと収まり、見栄えを向上させつつ、回転体６による押し絵１１及びまり玉１２の間延び感や押し絵１１及びまり玉１２の数量限定といった不具合を確実に解消することができる。
【００４１】
なお、本発明は、前記各実施の形態に限定されるものではなく、その他種々の変形例を包含している。例えば、前記各実施の形態では、さげ輪４をＡＢＳ樹脂などの樹脂材により成形したが、図１８及び図１９に示すように、帯状に成形した２枚の竹材７１の裏面同士を重ね合わせてさげ輪７が形成されていてもよい。このさげ輪７には、その周方向等間隔置きの７箇所で両竹材７１間に開口する挿通孔７２が設けられている。この場合、２枚の竹材７１同士は、周方向で１８０°位相をずらせた位置に互いの両端の接合部分が位置し、円形状を保持し易くしている。
【００４２】
また、前記各実施の形態では、挿通孔４４，７２をさげ輪４，７の周方向等間隔置きの７箇所に設けたが、挿通孔は、７箇所に限定されるものではなく、周方向等間隔置きの５箇所以上に設けられていればよい。
【００４３】
また、前記各実施の形態では、円環形状のさげ輪４，７を用いたが、多角環形状のさげ輪であってもよい。
【００４４】
更に、前記第１の実施の形態では、回転体３のケーシング３０を側面視で略真円形状に形成したが、回転体のケーシングが側面視でハート形、ダイヤ形、又はリンゴなどの果実形に形成されていてもよい。
【符号の説明】
【００４５】
１        押し絵吊し雛
１３      紐
２        スタンド
２３      吊し具
３        回転体
３１      駆動機構
３２      オルゴール
３４      信号受信部
３５      取付部
４        さげ輪
６１      取付部
７        さげ輪
【図１】
2014090912.tif 000003
【図２】
2014090912.tif 000004
【図３】
2014090912.tif 000005
【図４】
2014090912.tif 000006
【図５】
2014090912.tif 000007
【図６】
2014090912.tif 000008
【図７】
2014090912.tif 000009
【図８】
2014090912.tif 000010
【図９】
2014090912.tif 000011
【図１０】
2014090912.tif 000012
【図１１】
2014090912.tif 000013
【図１２】
2014090912.tif 000014
【図１３】
2014090912.tif 000015
【図１４】
2014090912.tif 000016
【図１５】
2014090912.tif 000017
【図１６】
2014090912.tif 000018
【図１７】
2014090912.tif 000019
【図１８】
2014090912.tif 000020
【図１９】
2014090912.tif 000021